(57)【要約】【課題】本発明は、印刷布上での色相変化及び変色を抑制し、加えてインクヘッド劣化を防止するインクジェット捺染用酸性染料インクを提供することを課題とする。【解決手段】  アミン化合物を１質量％以上２０質量％未満、及び有機酸を０．１質量％以上５質量％未満含有する捺染用酸性染料インク組成物。【選択図】なし【特許請求の範囲】
【請求項１】
アミン化合物を１質量％以上２０質量％未満、及び有機酸を０．１質量％以上５質量％未満含有する捺染用酸性染料インク組成物。
【請求項２】
アミン化合物が、アルコール系アミンである請求項１記載の捺染用酸性染料インク組成物。
【請求項３】
アルコール系アミンが、トリエタノールアミン又はトリス（ヒドロキシメチル）アミノメタンである請求項１又は２記載の捺染用酸性染料インク組成物。
【請求項４】
有機酸を０．１質量％以上１質量％未満含有する請求項１乃至３のいずれか一項に記載の捺染用酸性染料インク組成物。
【請求項５】
有機酸が、リンゴ酸である請求項１乃至４のいずれか一項に記載の捺染用酸性染料インク組成物。
【請求項６】
Ｃ．Ｉ．Ａｃｉｄ系染料を酸性染料として含有する請求項１乃至５のいずれか一項に記載の捺染用酸性染料インク組成物。
【請求項７】
Ｃ．Ｉ．Ａｃｉｄ  Ｙｅｌｌｏｗ系染料を酸性染料として含有する請求項１乃至６のいずれか一項に記載の捺染用酸性染料インク組成物。
【請求項８】
Ｃ．Ｉ．Ａｃｉｄ  Ｙｅｌｌｏｗ１８４を酸性染料として含有する請求項１乃至７のいずれか一項に記載の捺染用酸性染料インク組成物。
【請求項９】
水溶性有機溶剤をさらに含有する請求項８記載のインク。
【請求項１０】
請求項１乃至９のいずれか一項に記載のインクの液滴を、インクジェットプリンタにより吐出させて繊維に付着させる工程１と、工程１により付着させたインク中の染料を、熱により該繊維に反応固着させる工程２、該繊維中に残存する未固着の染料を洗浄する工程３とを含む、繊維の捺染方法。
【請求項１１】
工程１を行う前に、繊維に１種類以上の糊材、前処理用のｐＨ調整剤、及びヒドロトロピー剤を含む水溶液を付着させる、繊維の前処理工程をさらに含む請求項１０記載の繊維の捺染方法。
【請求項１２】
請求項１乃至９のいずれか一項に記載のインクにより染色された繊維。
【請求項１３】
請求項１０又は１１記載の捺染方法により染色された繊維。
【発明の詳細な説明】
【技術分野】
【０００１】
本発明は、捺染用酸性染料インク組成物と及びそれを用いた着色体に関する。
【背景技術】
【０００２】
インクジェット記録方法は、情報産業のデジタル化が進む中で、業務用、及び家庭用の記録（印刷）方法として広く普及している。インクジェット記録方法は、高画質や高精細な画像を記録できるため、用途は紙に限定されず、近年では繊維への捺染分野でも利用されている。インクジェット捺染用のインクとしては、シルク、ナイロン等のポリアミド系繊維用の酸性染料インク；ポリエステル系繊維用の分散染料インク；綿、レーヨン等のセルロース系繊維用の反応性染料（反応染料）インク；等が販売されている。酸性染料を用いたインクジェット捺染においては、ブラック、イエロー、マゼンタ、及びシアンの４色の染料インクを備えたインクセットが用いられているが、より色鮮やかな画像印刷のために、マゼンタの代わりに蛍光マゼンタ、イエローの代わりに蛍光イエローを使用したインクセットが用いられることもある。これらのインクの性能としては高い彩度と明度を有し高画質且つ高堅牢性の印捺物の提供が可能であることに加え、印刷布上での色相変化及び変色を抑制し、加えてインクヘッド劣化防止等が求められている。これらのうち、蛍光イエローインクに使用される染料の１つとして、Ｃ．Ｉ.  Ａｃｉｄ  Ｙｅｌｌｏｗ  １８４が挙げられる。この染料は色相及び発色性に優れるといった特徴がある。しかしながら、ポリアミド系繊維であるナイロンに捺染を行ったとしても、前処理布上で変色が起こり、発色工程を経ても、色鮮やかさが失われたままで布表面がざらつく現象が生じ、イエローの範囲における色再現性、高発色性が悪いという問題が挙げられていた。この色相範囲において、色鮮やかで、かつ色再現性の高いインクセットの提供が、市場から強く要望されている。
【先行技術文献】
【特許文献】
【０００３】
【特許文献１】特許６０３７９９１号公報
【特許文献２】国際公開ＷＯ２００９／１０４５４７号
【発明の概要】
【発明が解決しようとする課題】
【０００４】
本発明は、高画質且つ高堅牢性の印捺物の提供が可能であることに加え、印刷布上での色相変化及び変色を抑制し、加えてインクヘッド劣化を防止する捺染用酸性染料インク組成物及びそれを用いて印刷した着色体を提供することを課題とする。
【課題を解決するための手段】
【０００５】
本発明者らは、捺染用酸性染料インク組成物において、アミン化合物を１質量％以上２０質量％未満、及び有機酸を０．１質量％以上５質量％未満含有させることにより、印刷布上での色相変化及び変色を抑制し、加えてインクヘッド劣化を防止することを可能とし、上記の課題を解決できた。
即ち本発明は、以下の１）〜１３）に関する。
１）
アミン化合物を１質量％以上２０質量％未満、及び有機酸を０．１質量％以上５質量％未満含有する捺染用酸性染料インク組成物。
２）
アミン化合物が、アルコール系アミンである１）記載の捺染用酸性染料インク組成物。
３）
アルコール系アミンが、トリエタノールアミン又はトリス（ヒドロキシメチル）アミノメタンである１）又は２）記載の捺染用酸性染料インク組成物。
４）
有機酸を０．１質量％以上１質量％未満含有する１）乃至３）のいずれか一項に記載の捺染用酸性染料インク組成物。
５）
有機酸が、リンゴ酸である１）乃至４）のいずれか一項に記載の捺染用酸性染料インク組成物。
６）
Ｃ．Ｉ．Ａｃｉｄ系染料を酸性染料として含有する１）乃至５）のいずれか一項に記載の捺染用酸性染料インク組成物。
７）
Ｃ．Ｉ．Ａｃｉｄ  Ｙｅｌｌｏｗ系染料を酸性染料として含有する１）乃至６）のいずれか一項に記載の捺染用酸性染料インク組成物。
８）
Ｃ．Ｉ．Ａｃｉｄ  Ｙｅｌｌｏｗ１８４を酸性染料として含有する１）乃至７）のいずれか一項に記載の捺染用酸性染料インク組成物。
９）
水溶性有機溶剤をさらに含有する８）記載のインク。
１０）
１）乃至９）のいずれか一項に記載のインクの液滴を、インクジェットプリンタにより吐出させて繊維に付着させる工程１と、工程１により付着させたインク中の染料を、熱により該繊維に反応固着させる工程２、該繊維中に残存する未固着の染料を洗浄する工程３とを含む、繊維の捺染方法。
１１）
工程１を行う前に、繊維に１種類以上の糊材、前処理用のｐＨ調整剤、及びヒドロトロピー剤を含む水溶液を付着させる、繊維の前処理工程をさらに含む１０）記載の繊維の捺染方法。
１２）
１）乃至９）のいずれか一項に記載のインクにより染色された繊維。
１３）
１０）又は１１）記載の捺染方法により染色された繊維。
【発明の効果】
【０００６】
本発明により、印刷布上での色相変化及び変色を抑制し、加えてインクヘッド劣化を防止できる捺染用酸性染料インク組成物及びそれを用いた着色体を得ることができた。
【０００７】
本明細書においては、特に断りのない限り、実施例等を含めて「％」及び「部」については、いずれも質量基準で記載する。
【０００８】
上記捺染用酸性染料インク組成物に用いる酸性染料としては、カラーインデックス（Ｃ．Ｉ．）に収載されている、Ｃ．Ｉ．Ａｃｉｄ系染料が挙げられる。
【０００９】
上記Ｃ．Ｉ．Ａｃｉｄ系染料としては、例えば、Ｃ．Ｉ．Ａｃｉｄ  Ｙｅｌｌｏｗ系染料、Ｃ．Ｉ．Ａｃｉｄ  Ｒｅｄ系染料、Ｃ．Ｉ．Ａｃｉｄ  Ｂｌｕｅ系染料、Ｃ．Ｉ．Ａｃｉｄ  Ｂｌａｃｋ系染料、Ｃ．Ｉ．Ａｃｉｄ  Ｂｒｏｗｎ系染料、Ｃ．Ｉ．Ａｃｉｄ  Ｇｒｅｅｎ系染料、Ｃ．Ｉ．Ａｃｉｄ  Ｏｒａｎｇｅ系染料、Ｃ．Ｉ．Ａｃｉｄ  Ｖｉｏｌｅｔ系染料、等が挙げられる。
【００１０】
上記Ｃ．Ｉ．Ａｃｉｄ  Ｙｅｌｌｏｗ系染料としては、例えば、Ｃ．Ｉ．Ａｃｉｄ  Ｙｅｌｌｏｗ、１、２、３、４、５、６、７、７：１、８、９、９：１、１０、１１、１２、１３、１４、１５、１６、１７：１、１８、１９、２０、２１、２２、２３、２３：１、２４、２５、２５：１、２６、２７、２８、２９、２９：１、３０、３１、３２、３３、３４、３５、３６、３７、３８、３８：１、３９、４０、４０：１、４１、４２、４２：１、４３、４４、４６、４７、４８、４９、４９：１、５０、５１、５２、５３、５４、５５、５６、５７、５９、６０、６１、６３、６４、６５、６５：１、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１１０、１１１、１１２、１１３、１１４、１１４：１、１１５、１１６、１１６：１、１１７、１１８、１１９、１１９：１、１２０、１２１、１２２、１２３、１２４、１２６、１２７、１２７：１、１２８、１２８：１、１２９、１３０、１３１、１３２、１３３、１３４、１３５、１３６、１３７、１３８、１３９、１４０、１４１、１４２、１４３、１４４、１４５、１５０、１５１、１５２、１５３、１５５、１５６、１５７、１５８、１５８：１、１５９、１６０、１６１、１６２、１６４、１６５、１６６、１６７、１６８、１６９、１７１、１７２、１７３、１７４、１７５、１７６、１７７、１７７：１、１７８、１７９、１８０、１８１、１８２、１８３、１８４、１８５、１８６、１８７、１８８、１８９、１９０、１９１、１９２、１９４、１９５、１９６、１９７、１９８、１９９、２００、２０２、２０３、２０４、２０５、２０６、２０７、２０８、２０９、２１０、２１１、２１２、２１３、２１４、２１５：１、２１６、２１７、２１８、２１９、２１９：１、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１等が挙げられ、これらは単独、または複数を混合して用いることが可能であり、１８４であることが好ましい。
【００１１】
上記Ｃ．Ｉ．Ａｃｉｄ  Ｒｅｄ系染料としては、例えば、Ｃ．Ｉ．Ａｃｉｄ  Ｒｅｄ  １、２、３、４、５、６、７、８、９、１０、１１、１２、１３、１４、１５、１６、１７、１８、１９、２０、２１、２２、２３、２４、２５、２５：１、２６、２６：１、２７、２８、２９、３０、３１、３２、３２：１、３３、３４、３５、３６、３７、３８、３９、４０、４１、４２、４３、４４、４６、４７、４８、４９、５０、５１、５１：１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９：１、１００、１０１、１０２、１０３、１０４、１０５、１０６、１０７、１０８、１０９、１１０、１１１、１１２、１１３、１１４、１１５、１１６、１１７、１１８、１１９、１１９：１、１２０、１２１、１２２、１２３、１２５、１２６、１２７、１２８、１２９、１３０、１３３、１３４、１３５、１３６、１３７、１３８、１３９、１４０、１４１、１４２、１４３、１４３：１、１４４、１４５、１４６、１４７、１４８、１４９、１５０、１５１、１５１：１、１５２、１５３、１５４、１５５、１５６、１５７、１５８、１５９、１６０、１６１、１６２、１６３、１６４、１６５、１６６、１６７、１６７：１、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１１：１、２１２、２１３、２１３：１、２１４、２１５、２１６、２１７、２１８、２１９、２２０、２２１、２２２、２２３、２２５、２２５：１、２２６、２２７、２２８、２２９、２３１、２３３、２３４、２３５、２３６、２３７、２３８、２３９、２４０、２４１、２４２、２４４、２４６、２４７、２４９、２５１、２５２、２５３、２５４、２５５、２５６、２５７、２５７：１、１５８、２５９、２６０、２６１、２６２、２６３、２６４、２６５、２６６、２６８、２６９、２７０、２７１、２７２、２７３、２７４、２７５、２７６、２７７、２７８、２７９、２８０、２８１、２８２、２８３、２８６、２８７、２８８、２８９、２９１、２９２、２９５、２９６、２９８、２９９、３００、３０１、３０２、３０３、３０４、３０６、３０７、３０８、３０９、３１０、３１１、３１２、３１３、３１４、３１４：１、３１５、３１５：１、３１６、３１６：１、３１７、３１８、３１９、３２１、３２２、３２３、３２４、３２５、３２６、３２８、３２９、３３０、３３１、３３２、３３３、３３４、３３５、３３６、３３７、３３８、３３９、３４０、３４１、３４２、３４３、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８９、３９０、３９１、３９２、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４７、４４８、４４９、４５０、４５１、４５２、４５３、４５４、４５５、４５６、４５７、４５８、４５９、４６０、４６１等が挙げられ、これらは単独、または複数を混合して用いることが可能である。
【００１２】
上記Ｃ．Ｉ．Ａｃｉｄ  Ｂｌｕｅ系染料としては、例えば、Ｃ．Ｉ．Ａｃｉｄ  Ｂｌｕｅ  １、２、３、４、５、６、７、８、９、１０、１１、１２、１３、１４、１５、１６、１７、１８、１８：１、１９、２０、２１、２２、２２：１、２３、２４、２５、２６、２７、２８、２９、３０、３１、３２、３３、３４、３５、３６、３７、３８、３９、４０、４１、４２、４３、４４、４５、４７、４８、４９、５０、５１、５３、５４、５５、５６、５７、５８、５９、６０、６１、６１：１、６２、６２：１、６３、６４、６５、６６、６８、６９、７０、７２、７４、７５、７６、７８、７８：１、７９、８０、８１、８２、８３、８４、８５、８６、８７、８８、８９、９０、９０：１、９１、９２、９３、９３：１、９４、９５、９６、９７、９８、９９、１００、１０１、１０２、１０２：１、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２７：１、１２８、１２９、１２９：１、１３１、１３２、１３３、１３４、１３５、１３６、１３７、１３８、１３８：１、１３９、１４０、１４１、１４２、１４３、１４５、１４５：１、１４７、１４８、１５０、１５１、１５２、１５３、１５４、１５５、１５６、１５７、１５８、１５８：１、１５８：２、１５９、１６０、１６１、１６２、１６３、１６５、１６６、１６７、１６８、１６８：１、１６９、１７０、１７１、１７１：１、１７２、１７４、１７５、１７６、１７７、１７９、１８１、１８２、１８３、１８４、１８５、１８６、１８７、１８８、１９１、１９２、１９４、１９５、１９７、１９８、１９９、２００、２０１、２０２、２０３、２０４、２０５、２０６、２０７、２０８、２０９、２１０、２１２、２１３、２１５、２１６、２１９、２２０、２２１、２２４、２２５、２２６、２２７、２２８、２２９、２２９：１、２３０、２３１、２３２、２３３、２３４、２３５、２３７、２３８、２３９、２４０、２４１、２４２、２４３、２４４、２４５、２４６、２４７、２４９、２５０、２５２、２５３、２５４、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７７：１、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３３０、３３１、３３２、３３３、３３４、３３５、３３６、３３７、３３８、３３９、３４０、３４１、３４２、３４３、３４４、３４５、３４６、３４８、３４９、３５０、３５１、３５２、３５２：１、３５３、３５４、３５５、３５６、３５７、３５８、３５９、３６０、３６１、３６２、３６３等が挙げられ、これらは単独、または複数を混合して用いることが可能である。
【００１３】
上記Ｃ．Ｉ．Ａｃｉｄ  Ｂｌａｃｋ系染料としては、例えば、Ｃ．Ｉ．Ａｃｉｄ  Ｂｌａｃｋ  １、２、３、４、５、７、８、９、１０、１１、１２、１３、１４、１５、１６、１６：１、１７、１８、１９、２０、２１、２２、２３、２４、２５、２６、２６：１、２６：２、２６：３、２６：４、２７、２８、２９、３０、３１、３２、３３、３４、３５、３６、３８、３９、４０、４１、４２、４３、４４、４５、４６、４７、４８、４８：１、４９、５０、５１、５２、５２：１、５３、５４、５５、５６、５７、５８、５８：１、５９、６０、６０：１、６２、６２：１、６３、６３：１、６３：２、６４、６５、６６、６７、６８、６９、７０、７１、７３、７４、７５、７６、７７、７８、７９、８２、８３、８４、８５、８６、８７、８８、８９、９０、９１、９２、９３、９４、９５、９６、９７、９８、９９、１０１、１０４、１０５、１０６、１０７、１０８、１０９、１１０、１１２、１１３、１１４、１１５、１１８、１１９、１２０、１２１、１２２、１２４、１２６、１２７、１２８、１２９、１３０、１３１、１３１：１、１３２、１３３、１３４、１３５、１３６、１３７、１３８、１３９、１４０、１４３、１４４、１４５、１４７、１４８、１４９、１５０、１５１、１５２、１５３、１５６、１５７、１５９、１６０、１６１、１６２、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８７：１、１８９、１９０、１９１、１９２、１９２：１、１９３、１９４、１９５、１９６、１９７、１９８、１９９、２００、２０１、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８等が挙げられ、これらは単独、または複数を混合して用いることが可能である。
【００１４】
上記Ｃ．Ｉ．Ａｃｉｄ  Ｂｒｏｗｎ系染料としては、例えば、Ｃ．Ｉ．Ａｃｉｄ  Ｂｒｏｗｎ  １、２、３、４、５、６、７、７：１、８、９、１０、１１、１２、１３、１４、１５、１６、１７、１８、１９、１９：１、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７５、７６、７７、７８、７９、８０、８３、８４、８５、８６、８７、８８、８８：１、８９、９０、９１、９２、９３、９４、９５、９６、９７、９８、９９、１００、１０１、１０２、１０３、１０４、１０５、１０６、１０７、１０７：１、１０８、１０８：１、１０９、１１０、１１０：１、１１１、１１２、１１２：１、１１３、１１３：１、１１４、１１５、１１７、１１８、１１９、１２０、１２１、１２２、１２３、１２５、１２６、１２７、１２８、１２９、１３０、１３３、１３４、１３５、１３６、１３７、１３９、１４０、１４１、１４２、１４３、１４４、１４５、１４６、１４７、１４８、１５０、１５１、１５２、１５３、１５４、１５５、１５６、１５７、１５８、１５９、１６０、１６１、１６２、１６４、１６５、１６６、１６７、１６８、１７４、１７５、１７６、１７７、１７８、１７９、１８０、１８１、１８２、１８３、１８４、１８５、１８６、１８７、１８８、１８８：１、１８９、１９０、１９１、１９３、１９４、１９５、１９６、１９７、１９８、１９９、２００、２０１、２０２、２０３、２０４、２０５、２０６、２０７、２０８、２０９、２１１、２１２、２１３、２１４、２１５、２１６、２１６：１、２１７、２１８、２１９、２２０、２２１、２２２、２２３、２２４、２２５、２２６、２２６：１、２２７、２２８、２２９、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６４、２６５、２６６、２６７、２６８、２６９、２７０、２７１、２７２、２７３、２７４、２７５、２７６、２７８、２７９、２８０、２８２、２８２：１、２８３、２８４、２８５、２８６、２８７、２８８、２８９、２９０、２９１、２９２、２９３、２９４、２９５、２９６、２９７、２９８、２９８：１、２９９、３００、３０３、３０４、３０５、３０６、３０７、３０８、３０９、３１０、３１１、３１３、３１４、３１５、３１６、３１７、３１８、３１９、３２０、３２１、３２２、３２３、３２４、３２４：１、３２５、３２６、３２７、３２８、３２９、３３０、３３１、３３２、３３２：１、３３４、３３５、３３６、３３７、３３８、３３９、３４１、３４２、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８８、３８９、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４６、４４７、４４８、４４９、４５０、４５１、４５２、４５３、４５４、４５５、４５６、４５７、４５８、４５９、４６０、４６１、４６２、４６３、４６４、４６５、４６６、４６７、４６８、４６９、４７０、４７１、４７２、４７３、４７４等が挙げられ、これらは単独、または複数を混合して用いることが可能である。
【００１５】
上記Ｃ．Ｉ．Ａｃｉｄ  Ｇｒｅｅｎ系染料としては、例えば、Ｃ．Ｉ．Ａｃｉｄ  Ｇｒｅｅｎ  １、２、３、４、５、６、７、８、９、１０、１１、１２、１３、１４、１５、１６、１７、１９、２０、２１、２２、２３、２４、２５、２５：１、２６、２７、２８、２９、３０、３１、３２、３３、３４、３５、３６、３７、３８、４０、４０：１、４１、４２、４３、４４、４５、４６、４７、４８、４９、５０、５０：１、５１、５２、５３、５４、５５、５７、５８、５９、６０、６１、６２、６３、６４、６５、６５：１、６６、６７、６８、６８：１、６９、７０、７０：１、７１、７２、７３、７４、７５、７６、７７、７８、７９、８０、８１、８２、８３、８４、８５、８６、８７、８７：１、８８、８９、９０、９１、９２、９３、９４、９６、９７、９８、９９、１００、１０１、１０２、１０３、１０４、１０５、１０６、１０７、１０８、１０８：１、１０９、１１０、１１１、１１２、１１３、１１４、１１５、１１６、１１７、１１８、１１９、１２０、１２１、１２２、１２３、１２４、１２５、１２６等が挙げられ、これらは単独、または複数を混合して用いることが可能である。
【００１６】
上記Ｃ．Ｉ．Ａｃｉｄ  Ｏｒａｎｇｅ系染料としては、例えば、Ｃ．Ｉ．Ａｃｉｄ  Ｏｒａｎｇｅ  １、１：１、２、３、４、５、６、７、８、９、１０、１０：１、１１、１２、１３、１４、１５、１６、１７、１８、１９、２０、２１、２２、２３、２４、２４：１、２５、２６、２７、２８、２８：１、２９、３０、３１、３２、３３、３４、３５、３６、３７、３８、３９、４０、４１、４２、４３、４４、４５、４６、４７、４８、４９、５０、５１、５１：１、５２、５３、５４、５５、５６、５７、５８、５９、６０、６０：１、６１、６２、６２：１、６３、６４、６５、６６、６７、６８、６９、７０、７１、７２、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１１２、１１３、１１４、１１５、１１６、１１６：１、１１７、１１８、１１９、１２０、１２１、１２２、１２４、１２６、１２７、１２８、１２９、１３０、１３１、１３２、１３３、１３４、１３５、１３６、１３７、１３８、１３９、１４０、１４１、１４２、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４等が挙げられ、これらは単独、または複数を混合して用いることが可能である。
【００１７】
上記Ｃ．Ｉ．Ａｃｉｄ  Ｖｉｏｌｅｔ系染料としては、例えば、Ｃ．Ｉ．Ａｃｉｄ  Ｖｉｏｌｅｔ  １、２、３、３：１、４、５、５：１、６、７、８、９、９：１、１０、１１、１２、１３、１４、１５、１６、１７、１８、１９、２０、２１、２２、２３、２４、２５、２６、２７、２９、３０、３１、３２、３３、３４、３５、３６、３６：１、３７、３８、３９、４０、４１、４２、４３、４４、４５、４６、４７、４８、４９、５０、５１、５２、５３、５４、５５、５６、５７、５７：１、５８、５９、６０、６１、６２、６３、６４、６５、６６、６７、６８、６９、７０、７１、７２、７３、７４、７５、７６、７７、７８、７９、８０、８２、８３、８４、８５、８６、８７、８８、８９、９０、
９１、９２、９３、９４、９５、９６、９７、９８、９９、１００、１０１、１０２、１０３、１０４、１０５、１０５：１、１０６、１０７、１０８、１０９、１１０、１１１、１１２、１１３、１１４、１１５、１１６、１１７、１１８、１１９、１２０、１２１、１２２、１２３、１２６、１２７、１２８、１２９、１３０、１３１、１３２、１３３等が挙げられ、これらは単独、または複数を混合して用いることが可能である。
【００１８】
上記Ｃ．Ｉ．Ａｃｉｄ系染料は、インク組成物の色調を望みの色に調整する目的等により、色調の異なる染料同士を混合して用いて良い。また、ブラックインクは、上記各染料系から選択される複数の染料を含有する、配合ブラックとすることも出来る。
【００１９】
上記捺染用酸性染料インク組成物に、アミン化合物を１質量％以上２０質量％未満添加し、更に有機酸を０．１質量％以上５質量％未満添加することにより、印刷布上での色相変化及び変色を抑制し、加えてインクヘッド劣化を防止する捺染用酸性染料インク組成物、及びそれを用いた着色体を得ることができる。
【００２０】
上記アミン化合物としては、例えば、メチルアミン、ジメチルアミン、トリメチルアミン、エチルアミン、ジエチルアミン、トリエチルアミン、プロピルアミン、ジプロピルアミン、トリプロピルアミン、ノルマルブチルアミン、ジノルマルプロピルアミン、トリノルマルプロピルアミン、ｓｅｃ−ブチルアミン、ｔｅｒｔ−ブチルアミン、ノルマルペンチルアミン、ヘキシルアミン等のアルキル置換アミン、メタノールアミン、ジメタノールアミン、トリメタノールアミン、エタノールアミン、ジエタノールアミン、トリエタノールアミン、プロパノールアミン、ジプロパノールアミン、トリプロパノールアミン、ノルマルブタノールアミン、ジノルマルブタノールアミン、トリブタノールアミン、ノルマルペンタノールアミン、ノルマルヘキサノールアミン、トリス（ヒドロキシ）メチルアミノメタン等のアルコール系アミン、等が挙げられ、トリエタノールアミン又はトリス（ヒドロキシ）メチルアミノメタンであることが特に好ましい。
【００２１】
上記有機酸としては、例えば、リンゴ酸、クエン酸、酒石酸、酢酸等が挙げられ、リンゴ酸であることが好ましい。
【００２２】
また、上記有機酸は、水溶液として用いることが可能であり、０．１％〜５０％濃度水溶液として用いることが可能であり、１％〜３０％濃度水溶液であることが好ましく、５％〜２５％濃度水溶液であることが更に好ましい。
【００２３】
上記捺染用酸性染料インク組成物の調製においては、上記以外にインク調製剤も適宜用いることができる。例えば、防腐・防黴剤、ｐＨ調整剤、キレート試薬、防錆剤、水溶性紫外線吸収剤、水溶性高分子化合物、酸化防止剤、表面張力調整剤、消泡剤等が挙げられる。以下にこれらのインク調製剤について説明する。
【００２４】
上記防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００２５】
上記防腐剤の例としては、例えば、有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。
有機ハロゲン系化合物の具体例としては、例えばペンタクロロフェノールナトリウムが挙げられる。ピリジンオキシド系化合物の具体例としては、例えば２−ピリジンチオール−１−オキサイドナトリウムが挙げられる。イソチアゾリン系化合物の具体例としては、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤の具体例としては、無水酢酸ナトリウム、ソルビン酸ナトリウム、安息香酸ナトリウム、アーチケミカル社製、商品名プロクセルＧＸＬ（Ｓ）やプロクセルＸＬ−２（Ｓ）等が挙げられる。
【００２６】
上記ｐＨ調整剤は、インクの保存安定性を向上させる目的で、インクのｐＨを６．０〜１１．０の範囲に制御できるものであれば任意の物質を使用することができる。例えば、ジエタノールアミン、トリエタノールアミン等のアルカノールアミン；水酸化リチウム、水酸化ナトリウム、水酸化カリウム等のアルカリ金属の水酸化物；水酸化アンモニウム；あるいは炭酸リチウム、炭酸ナトリウム、炭酸カリウム等のアルカリ金属の炭酸塩；タウリン等のアミノスルホン酸；等が挙げられる。
【００２７】
上記キレート試薬の具体例としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００２８】
上記防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００２９】
上記水溶性紫外線吸収剤の具体例としては、例えば、スルホ化したベンゾフェノン系化合物、ベンゾトリアゾ−ル系化合物、サリチル酸系化合物、桂皮酸系化合物、又はトリアジン系化合物が挙げられる。
【００３０】
上記水溶性高分子化合物の具体例としては、ポリビニルアルコール、セルロース誘導体、ポリアミン又はポリイミン等が挙げられる。
【００３１】
上記酸化防止剤としては、例えば、各種の有機系及び金属錯体系の褪色防止剤を使用することができる。上記有機系の褪色防止剤の具体例としては、ハイドロキノン類、アルコキシフェノール類、ジアルコキシフェノール類、フェノール類、アニリン類、アミン類、インダン類、クロマン類、アルコキシアニリン類、複素環類等が挙げられる。
【００３２】
上記表面張力調整剤としては、界面活性剤が挙げられる。界面活性剤は、例えばアニオン、両性、カチオン、及びノニオン等に分類することができる。
【００３３】
上記アニオン界面活性剤としては、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００３４】
上記カチオン界面活性剤としては、２−ビニルピリジン誘導体、ポリ４−ビニルピリジン誘導体等が挙げられる。
【００３５】
上記両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
【００３６】
上記ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；日信化学工業株式会社製の商品名サーフィノール１０４、同８２、同４６５、オルフィンＳＴＧ；ＳＩＧＭＡ−ＡＬＤＲＩＣＨ社製の商品名Ｔｅｒｇｉｔｏｌ１５−Ｓ−７；等が挙げられる。
【００３７】
上記消泡剤としては、高酸化油系、グリセリン脂肪酸エステル系、フッ素系、シリコーン系化合物等が挙げられる。
【００３８】
上記捺染用酸性染料インク組成物の調製方法に特に制限はないが、通常は、上記各成分のうち必要な成分を混合し、染料等の固形分が溶解するまで撹拌することにより得られる。インクジェット捺染に用いる場合には、該各インク組成物をメンブランフィルター等で濾過することにより、夾雑物を除いたものを使用するのが好ましい。メンブランフィルターの孔径は通常１〜０．１μｍ、好ましくは、０．５〜０．１μｍである。
【００３９】
上記捺染用酸性染料インク組成物は、該インク組成物の液滴を、記録信号に応じて吐出させ、被記録材に付着させることにより捺染を行うことが可能であり、捺染の際にインクジェットプリンタを使用する場合、そのインクノズル形状については特に制限はなく、目的に応じて適宜選択することができる。
【００４０】
上記の捺染は、公知の方式、例えば、静電誘引力を利用してインクを吐出させる電荷制御方式；ピエゾ素子の振動圧力を利用するドロップオンデマンド方式（圧力パルス方式）；電気信号を音響ビームに変えインクに照射し、その放射圧を利用してインクを吐出させる音響インクジェット方式；インクを加熱して気泡を形成し、生じた圧力を利用するサーマルインクジェット方式；等のいずれの方式であっても用いることができる。
【００４１】
上記捺染に用いることが可能な被記録材としては、ポリエステル、セルロース、ポリアミド、及び天然繊維よりなる群から選択される繊維、又はこれらの繊維を含有する布帛が挙げられる。ポリエステル繊維としては、ポリエチレンテレフタレートを主成分とする繊維が挙げられる。セルロース繊維としては、綿、木綿、レーヨン、トリアセテート繊維、ジアセテート繊維等が挙げられる。ポリアミド繊維としては、ナイロン繊維等が挙げられる。 天然繊維としては、絹、羊毛等が挙げられる。上記繊維は単一素材の繊維であっても、これらの混紡繊維であってもよい。また、これらの繊維にインク受容層（滲み防止層）を設けたものでもよい。この繊維へのインク受容層の形成方法は、例えば特許文献２など公知公用の技術であり、インク受容層を有する繊維は市場から入手できる。また、公知公用の技術から適宜構成成分、形成方法等を選定し、該繊維にインク受容層を設けることもできる。該インク受容層はその機能を有するものであれば、特に限定されるものではない。
【００４２】
上記捺染は、上記インクジェットプリンタにより捺染された被記録材に対して、スチーミング又はベーキング処理をすることにより、染色を行うことができる。
スチーミング処理としては、例えば、高温スチーマーでは通常８０〜２５０℃、好ましくは１７０〜１８０℃、通常１０秒〜３０分、好ましくは１０分程度の処理で染着させることができる。この方法は、湿熱固着等と呼ばれることもある。また、ベーキング（サーモゾル）処理としては、通常８０〜２５０℃、好ましくは１９０〜２１０℃、通常１０秒〜３０分、好ましくは６０〜１８０秒程度の処理で染着させることができる。この方法は、乾熱固着等と呼ばれることもある。
【００４３】
上記捺染により繊維に印捺するには、例えば上記捺染用酸性染料インク組成物を含有する容器を、布帛の搬送が可能な捺染用インクジェットプリンタの所定の位置にセットし、上記インクジェット捺染により被記録材に印捺すればよい。上記インクジェット捺染は、上記捺染用酸性染料インク組成物中に含有する染料の種類を選択してインクセットとして使用し、フルカラー捺染を行うことができる。例えば、上記イエロー、レッド、ブルー、及びブラックの４色のインクセットとして使用してもよいし、必要に応じて、グリーン、バイオレット、オレンジ〜ブラウン等の各色の顔料から適宜選択し、４色以上のインクセットとして使用することもできる。
【００４４】
本発明の捺染用酸性染料インク組成物の保存安定性の向上方法は、該インク組成物の長期保存安定性を良好とし、仮に該インク組成物中の水分等を失って、該インク組成物を乾燥させてしまったときであっても、再分散性を良好とする。また、捺染時に吐出曲がりや擦れなく安定した吐出を行うことができ、連続して捺染する際、及び、間歇して捺染する際のいずれにおいても、ノズルを詰まらせることなく良好な吐出を行うことができる。更に本発明の方法は、インクジェットヘッドへの該インク組成物の充填を良好とし、繊維の染色において、滲みがない高発色を可能とし、フルカラー捺染において隣接した色が混ざらず高品質な捺染を可能とする。加えて、染着後の各種の堅牢性、例えば、各種耐光性、耐水性、各種の洗濯堅牢性等にも優れた捺染を可能とする。
【実施例】
【００４５】
以下、本発明を実施例によって具体的に説明するが、本発明は、以下の実施例によって何ら限定されるものではない。
【００４６】
[インク組成物の調製]
下記に記載の各成分を混合し、固形分が溶解するまでおおよそ１時間攪拌することにより、実施例１〜５及びの比較例１のインク組成物を得た。得られたインクを０．４５μｍのメンブランフィルター（商品名、セルロースアセテート系濾紙、アドバンテック社製）で濾過することにより、試験用のインク組成物を調製した。各インク組成物の調製に用いた「水」はイオン交換水であり、インクの総量が１００部となるように水を加えて調整した。下記表１ 中、各成分の数値は部数である。また、下記表１にインク組成を記載するが、表１中の記号「−」は、その成分を含まないことを、また、「ＳＣ−Ｐ１０００」は阪本薬品工業株式会社製の商品名ＳＣ−Ｐ１０００を、ＴＥＡはトリエタノールアミンをそれぞれ表す。
【００４７】
【表１】
2018154680.tif 000002
【００４８】
上記実施例１〜５及び比較例１のインク組成物を用いて下記する評価試験を行った。
【００４９】
［試験染布の調製］
グアー（天然ガム類）２質量部、硫酸アンモニウム２質量部、尿素５質量部、及び水９１質量部を含む繊維の処理液を調製し、パッド法によりナイロン布（ナイロン６ジャージー）に前処理工程を行った。すなわち、ナイロン布を繊維の処理液に浸漬し、ゴムローラーにて余分な液を絞り落とした後、６０℃にて乾燥した。上記によって得たナイロン布に対して、実施例１のインクを使用して、インクジェットプリンタＰＭ−Ａ７５０（セイコーエプソン社製）にてイエローのベタ柄を捺染した。この印捺物を６０〜８０℃で予備乾燥後、湿度９０％以上、１００〜１０３℃で３０分間スチーミング処理を行った。得られた印捺物を冷水で５分間洗浄した後、８０℃２時間乾燥することにより試験染布を得た。この試験染布を「試験染布１」とする。実施例１のインクの代わりに、実施例２又は３のインクを用いる以外は実施例１と同様にして、試験染布２及び３を得た。また、比較例１のインクを用いる以外は実施例１と同様にして、比較染布１を得た。これら染布を用い、下記評価試験を行った。
【００５０】
［Ａ．色相評価］
[評価染布作製]
色相は、ナイロン布への印刷後、発色前と発色後にそれぞれ目視にて観察し、以下の３段階の基準で評価した。なお、発色前とは印刷後８０℃条件下２分間予備乾燥を行った状態を示し、発色後とは上記発色前の状態から、更に１００℃３０分間スチーミング処理を行い、その後、未固着の染料を洗浄する工程を経た後、室温で乾燥させた状態を示す。
［評価１（発色前）］
ナイロン染布の発色前色相目視評価。
評価Ａ：＝印刷直後の色相がイエローであり、予備乾燥後も色相変化なし。
評価Ｂ：＝印刷直後の色相がイエローであるが、予備乾燥後経時によりイエロー〜オレンジ間の色相変化あり。
Ｃ：＝印刷直後の色相がイエローではなく、オレンジである。
［評価２（発色後）］
ナイロン染布の発色後色相目視評価。
評価Ａ：＝冴えたイエローであり、表面のざらつきなし。
評価Ｂ：＝イエローであるが、表面にざらつきが観察された。
評価Ｃ：＝くすんだイエローで、表面にざらつきが観察された。
［印字物評価］
上記試験染布の調製により得た各染布の印字物評価を行った。評価は、ＧＲＥＴＡＧ−ＭＡＣＢＥＴＨ社製の測色機、商品名ＳｐｅｃｔｒｏＥｙｅを用いて、グラデーションの最も濃い階調部分を測色することにより、ＣＩＥの（Ｌ＊値、ａ＊値、ｂ＊値）を得て、明度評価にＬ＊値を用いた。また、下記式を用いて彩度（Ｃ＊値）を算出し評価した。これら明度及び彩度は数値が大きい方が高鮮明であることを示し、良好である。
Ｃ＊＝［（ａ＊）2 ＋（ｂ＊）2］1/2
試験結果はそれぞれ以下の３段階で評価、結果を下記表２に示した。
[Ｂ．明度評価]
ナイロン染布の明度（Ｌ＊値）
評価Ａ：Ｌ＊値が95.0以上。
評価Ｂ：Ｌ＊値が92.0以上、95.0未満。
評価Ｃ：Ｌ＊値が92.0未満。
[Ｃ．彩度評価 ]
ナイロン染布の彩度（Ｃ＊値）
評価Ａ：Ｃ＊値が110.0以上。
評価Ｂ：Ｃ＊値が109.0以上、110.0未満。
評価Ｃ：Ｃ＊値が109.0未満。
【００５１】
【表２】
2018154680.tif 000003
【００５２】
表２の結果から明らかなように、実施例インク組成物を用いた試験染布１〜３はいずれも全ての試験項目で「Ａ」または「Ｂ」評価となり、色相、彩度及び明度いずれも優れることが確認された。一方、比較染布１はいずれの試験項目においても「Ｃ」評価となった。これらの結果は、実施例インク組成物が、比較例インク組成物と比べて、印刷布上での色相変化及び変色抑制に優れ、加えてインクヘッド劣化をより防止する捺染用インク組成物であることを示している。
【産業上の利用可能性】
【００５３】
本発明の捺染用酸性染料インク組成物は、印刷布上での色相変化及び変色を抑制し、加えてインクヘッド劣化を防止する捺染用インク組成物であり、特にインクジェット捺染用酸性染料インクとして極めて有効であることを示している。